(57)【特許請求の範囲】
【請求項１】
せん断防止ボルトを適宜間隔ごとに打設した斜面地山と、該斜面地山の下部における水平地山とを底盤部とし、
該水平地山には小口径アンカーまたは小口径杭で基礎ブロックが固定され、
該基礎ブロックには複数のプレキャストコンクリートパネルが積み重ねられた擁壁が形成され、
該擁壁と前記底盤部との間には流動コンクリートが積層された盛土層が形成されてなる盛土構造物であって、
前記せん断防止ボルトの頭部には、すべり土塊の補強をすると共に、前記流動コンクリートと前記底盤部との一体化を図るための二枚の支圧板が間隔を開けて設置され、
一方の支圧板は、前記せん断防止ボルトに緊張力が付与されて前記斜面地山に圧着され、  他方の支圧板は、斜面地山から突出した箇所に設置され、流動コンクリート内に埋設されて、該流動コンクリートと前記斜面地山とを一体的に形成し、
前記積層された流動コンクリートの境界部には、補強材が埋設されたこと
を特徴とする盛土構造物。
【発明の詳細な説明】
【技術分野】
【０００１】
本願発明は盛土構造物に関するものである。
【背景技術】
【０００２】
盛土構造物としては、例えば特開２００２−２４２１８６号の発明が知られている。この盛土構造物は斜面地山の下部における基礎ブロックに壁面パネルが積み重ねられ、この壁面パネルと斜面地山との間に、補強材を介在させた盛土材が積層されて構成されている。そして積み重ねて形成された壁面パネルが盛土材の土圧によって変形するのを防ぐため、斜面地山からの切梁や鋼材による補強を行っていた。
【特許文献１】特開２００２−２４２１８６号公報
【発明の開示】
【発明が解決しようとする課題】
【０００３】
しかし、上記の盛土構造物は、切梁や鋼材による補強が盛土材の打設の障害になって施工性に欠けるという問題があった。また補強材が盛土材の土圧に抵抗しきれずに壁面パネルが破壊されるという問題もあった。
【０００４】
本願発明はこれらの問題に鑑みてなされたものであり、その目的は、施工性に優れかつ壁面パネルが盛土材の土圧によって破壊しない盛土構造物を提供することである。
【課題を解決するための手段】
【０００５】
以上の課題を解決するための盛土構造物は、せん断防止ボルトを適宜間隔ごとに打設した斜面地山と、該斜面地山の下部における水平地山とを底盤部とし、該水平地山には小口径アンカーまたは小口径杭で基礎ブロックが固定され、該基礎ブロックには複数のプレキャストコンクリートパネルが積み重ねられた擁壁が形成され、該擁壁と前記底盤部との間には流動コンクリートが積層された盛土層が形成されてなる盛土構造物であって、前記せん断防止ボルトの頭部には、すべり土塊の補強をすると共に、前記流動コンクリートと前記底盤部との一体化を図るための二枚の支圧板が間隔を開けて設置され、一方の支圧板は、前記せん断防止ボルトに緊張力が付与されて前記斜面地山に圧着され、他方の支圧板は、斜面地山から突出した箇所に設置され、流動コンクリート内に埋設されて、該流動コンクリートと前記斜面地山とを一体的に形成し、前記積層された流動コンクリートの境界部には、補強材が埋設されたことを特徴とする。
【発明の効果】
【０００６】
プレキャストコンクリート板の設置および流動コンクリート打設時の転倒力に対する抵抗力を、基礎ブロックを中継して小口径アンカー（または小口径杭）と、せん断防止ボルトとで受け持たせることができる。せん断防止ボルトの二枚の支圧板ですべり土塊の補強をすることができるとともに、流動コンクリートと底盤部との一体化を図ることができる。地山からの切梁がないので施工性に優れている。また斜面地山にせん断防止ボルトを打設したことにより、この斜面地山と小口径アンカーを打設した水平地山とで底盤部を構成することができる。
【発明を実施するための最良の形態】
【０００７】
以下、本願発明の盛土構造物およびその構築方法の実施の形態を図面に基づいて説明する。はじめに盛土構造物の実施の形態について説明し、次に盛土構造物の構築方法の実施の形態について説明するが、各実施の形態において同じ構成は同じ符号を付して説明し、異なった構成は異なった符号を付して説明する。
【０００８】
盛土構造物１は、図１に示すように、斜面地山と水平地山とからなる底盤部２と、該底盤部２の水平地山における基礎ブロック３にプレキャストコンクリートパネル（以下ＰＣパネルという）４が積み重ねられてなる擁壁５と、該擁壁５と底盤部２との間に打設された流動コンクリート６が積層されてなる盛土層７とから構成されている。
【０００９】
底盤部２はせん断防止ボルト８が適宜間隔ごとに打設された斜面地山９と、小口径アンカー（または小口径杭）１０により基礎ブロック３が固定された水平地山１１とから構成されている。前記せん断防止ボルト８の先端部が支持層１２に打設されてすべり土塊１３を補強することにより斜面地山９を底盤部２の一部としている。
【００１０】
せん断防止ボルト８は斜面地山９のせん断や落石を防止するために打設されるものであり、例えば、ダブル支圧板付きタイボルト１４が使用される。このせん断防止ボルト８はタイボルト１４が斜面地山９の掘削孔１５に充填されたグラウト１６内に圧入され、所定の緊張力を付与して頭部における一枚目の支圧板１７で定着されている。また二枚目の支圧板１８は流動コンクリート６内に埋設されて斜面地山９との一体化を図っている。またせん断防止ボルト８は上記の他に、ロックボルトや永久アンカーなどの定着部材を使用することもできる。
【００１１】
また基礎ブロック３は擁壁５を支持するものであり、現場打ちコンクリートまたはプレキャストコンクリートで形成され、小口径アンカー（または小口径杭）１０によって水平地山１１に固定されている。
【００１２】
この基礎ブロック３にはプレート１９とナット２０とで連結部材２１の下端部が固着され、該下端部にはフープ筋２１ａが配筋されている。この連結部材２１は、例えばネジ節異形鋼棒であり、基礎ブロック３に積み重ねられたＰＣパネル４の貫通孔２２に挿入され、最上段のＰＣパネル４において所定の緊張力が付与されている。また、この連結部材２１はネジ節異形鋼棒の他に、ＰＣ鋼棒、ＰＣ鋼線、ＰＣ鋼撚り線などの高張力鋼材が使用される。
【００１３】
ＰＣパネル４は軽量コンクリートで形成された縦１ｍ、横２ｍの大きさのものであり、背面に三つの補強リブ２３が形成され、中央部の補強リブ２３には連結部材２１を挿入する貫通孔２２が形成されている。この貫通孔２２の下部には連結ナットを収納するスペース２４が、上部にはプレートを収納するスペース２４がそれぞれ形成されている。
【００１４】
またＰＣパネル４の上面には嵌合突起２５が、下面には嵌合凹溝２６がそれぞれ形成され、この嵌合凹溝２６に、下側に位置したＰＣパネル４の嵌合突起２５が嵌合されるとともに、上面の嵌合突起２５が、上側に位置したＰＣパネル４の嵌合凹溝２６に嵌合されてＰＣパネル４同士が接合され、これらが貫通孔２２に挿入された連結部材２１によってプレストレスを付与されている。
【００１５】
一方、ＰＣパネル４の一側面には半円形の側部嵌合突起２７が、他側面には半円形の側部嵌合凹溝２８がそれぞれ形成され、この側部嵌合凹溝２８に、右隣に位置したＰＣパネル４の側部嵌合突起２７が嵌合されるとともに、側部嵌合突起２７が左隣に位置したＰＣパネル４の側部嵌合凹溝２８に嵌合されてＰＣパネル４同士が横方向で接合され、この接合部を中心に回転できるようになっている。
【００１６】
このように複数のＰＣパネル４が上下左右に接合されて連結部材２１でプレストレスが付与されることにより自立した擁壁５が形成される。またＰＣパネル４同士が側面の接合部で回転自在になっているので、地山の形状に沿った擁壁、例えば湾曲状のものを形成することもできる。
【００１７】
また盛土層７は流動コンクリート６が補強材２９を介して多段状に積層されて形成されている。この流動コンクリート６は気泡混合軽量コンクリートであり、各ＰＣパネル４ごとに投入され、上面に敷設された補強材２９の先端部がＰＣパネル４に接合されている。
【００１８】
この補強材２９は網状のジオテキスタイルなどであり、流動コンクリート６間に働く摩擦力または付着力で流動コンクリート６の引張り抵抗を高めて、流動コンクリート６内にクラックが発生するのを効果的に防止するとともに、盛土層７全体のせん断強度を向上させる。この補強材２９はジオテキスタイルの他に、例えば、鋼材、防錆した金網、合成樹脂や繊維性のシート材であってもよい。
【００１９】
次に、盛土構造物の構築方法について説明する。まず斜面地山９に適宜間隔ごとに掘削孔１５を削孔し、この掘削孔１５にモルタルなどのグラウト１６を充填する。そして、このグラウト１６内にせん断防止ボルト８を圧入するとともに、頭部を掘削孔１５の開口部から突出させる。次に、この突出した頭部をグラウト１６の硬化後に所定の力で緊張し、一枚目の支圧板１７で斜面地山９に定着すると、二枚目の支圧板１８が斜面地山９から離れた箇所に位置する。
【００２０】
次に、底盤部２の水平地山１１に埋設孔３０を削孔し、この埋設孔３０にグラウト１６を注入した後、小口径アンカー（または小口径杭）１０を圧入する。そして、このグラウト１６の養生期間中に基礎ブロック３を現場打ちコンクリートまたはプレキャストコンクリートで構築する。次に、この基礎ブロック３の挿入孔３１に小口径アンカー（または小口径杭）１０の頭部を挿入するとともに、これを緊張・定着して基礎ブロック３を水平地山１１に固定する。
【００２１】
このようにせん断防止ボルト８を打設した斜面地山９と、小口径アンカー（または小口径杭）１０を打設した水平地山１１とによって底盤部２を形成する。
【００２２】
次に、基礎ブロック３の取付孔３２に連結部材２１の下端部を挿入し、その一部を上方へ突出させ、この突出させた連結部材２１の一部に他の連結部材２１を連結して、ＰＣパネル４の貫通孔２２を貫通できる長さにする。そして、この連結部材２１をＰＣパネル４の貫通孔２２に挿入してＰＣパネル４を基礎ブロック３に設置した後、連結部材２１を緊張・定着する。そして、この作業を順次繰り返して横方向に連続的に接合した１段目のＰＣパネル４ａを形成する。
【００２３】
次に、この１段目のＰＣパネル４ａと底盤部２との間に流動コンクリート６を、ＰＣパネル４の上面まで投入するとともに、この上面にジオテキスタイルなどの補強材２９を敷設すると盛土層７の一段目が形成される。この一段目の流動コンクリート６には、最下段のせん断防止ボルト８の頭部、すなわち二枚の支圧板１７、１８が埋設されて底盤部２との連結を強固にする。
【００２４】
このような作業を順次繰り返すと、図１に示すような、自立した擁壁５と、流動コンクリート６を積層した盛土層７とからなる盛土構造物１が構築される。
【図面の簡単な説明】
【００２５】
【図１】盛土構造物の断面図である。
【図２】（１）はせん断防止ボルトを打設した斜面地山の断面図、（２）は小口径アンカーを打設した水平地山の断面図である。
【図３】（１）はＰＣパネルの正面図、（２）は横方向で接合したＰＣパネルの平面図、（３）は接合部の断面図である。
【図４】（１）および（２）はＰＣパネルの縦方向の接合部の断面図である。
【図５】底盤部の断面図である。
【図６】盛土構造物の構築方法の断面図である。
【符号の説明】
【００２６】
１  盛土構造物
２  底盤部
３  基礎ブロック
４  ＰＣパネル
５  擁壁
６  流動コンクリート
７  盛土層
８  せん断防止ボルト
９  斜面地山
１０  小口径アンカー
１１  水平地山
１２  支持層
１３  すべり土塊
１４  タイボルト
１５  掘削孔
１６  グラウト
１７、１８  支圧板
１９  プレート
２０  ナット
２１  連結部材
２１ａ  フープ筋
２２  貫通孔
２３  補強リブ
２４  スペース
２５  嵌合突起
２６  嵌合凹溝
２７  側部嵌合突起
２８  側部嵌合凹溝
２９  補強材
３０  埋設孔
３１  挿入孔
３２  取付孔
【図１】
0005113342.tif 000002
【図２】
0005113342.tif 000003
【図３】
0005113342.tif 000004
【図４】
0005113342.tif 000005
【図５】
0005113342.tif 000006
【図６】
0005113342.tif 000007